(57)【要約】【課題】  コンタクトガラスの局所的な温度上昇を抑制する工夫が図られた画像読取装置を提供する。【解決手段】  画像が記録された原稿を１枚ずつ、所定の読取位置を経由する搬送路に沿って自動搬送する自動原稿搬送部と、読取位置に配備された、原稿の搬送方向に所定範囲内で往復移動自在なコンタクトガラスと、読取位置を通過する原稿に、コンタクトガラス越しに光を照射する光源と、原稿が読取位置を通過する際に原稿から反射した光像をコンタクトガラス越しに受像して画像信号に変換する受像センサと、原稿の搬送中にコンタクトガラスを原稿の搬送方向に移動させるガラス移動手段とを備えた。【選択図】        図２
2007329648.tif 000002
【特許請求の範囲】
【請求項１】
画像が記録された原稿を１枚ずつ、所定の読取位置を経由する搬送路に沿って自動搬送する自動原稿搬送部と、
前記読取位置に配備された、原稿の搬送方向に所定範囲内で往復移動自在なコンタクトガラスと、
前記読取位置を通過する原稿に、前記コンタクトガラス越しに光を照射する光源と、
前記原稿が前記読取位置を通過する際に該原稿から反射した光像を前記コンタクトガラス越しに受像して画像信号に変換する受像センサと、
前記原稿の搬送中に前記コンタクトガラスを原稿の搬送方向に移動させるガラス移動手段とを備えたことを特徴とする画像読取装置。
【請求項２】
前記コンタクトガラスを保持すると共に前記搬送路に沿った原稿の搬送をガイドする搬送ガイドを備え、
前記搬送ガイドが、前記所定範囲での往復移動が自在なものであり、
前記ガラス移動手段が、原稿の搬送方向に前記搬送ガイドを移動させることによって該搬送ガイドに保持された前記コンタクトガラスを移動させるものであることを特徴とする請求項１記載の画像読取装置。
【請求項３】
前記コンタクトガラスを、原稿の搬送方向に所定範囲内で移動自在に保持すると共に、前記搬送路を搬送されてくる原稿の搬送をガイドする搬送ガイドを備え、
前記ガラス移動手段が、前記搬送ガイドを残し、該搬送ガイド上で移動自在なコンタクトガラスを原稿の搬送方向に移動させるものであることを特徴とする請求項１記載の画像読取装置。
【請求項４】
前記ガラス移動手段が、前記コンタクトガラスを、原稿を１枚搬送する間に前記所定範囲のうちの一方の端からもう一方の端まで移動させるものであることを特徴とする請求項１記載の画像読取装置。
【請求項５】
前記搬送ガイドが、前記コンタクトガラスの前記光源側に、該光源からの光を該コンタクトガラス越しに原稿に照射する領域を絞るスリットを備え、
前記コンタクトガラスが、該スリットの幅よりも大きな往復移動距離を有するものであることを特徴とする請求項３記載の画像読取装置。
【請求項６】
前記ガラス移動手段が、前記コンタクトガラスを、原稿が１枚該コンタクトガラス上を搬送されている間に前記所定範囲のうちの原稿の搬送方向下流側の端から上流側の端に移動させ、１枚の原稿搬送後に下流側の端に戻すものであることを特徴とする請求項３記載の画像読取装置。
【発明の詳細な説明】
【技術分野】
【０００１】
本発明は、原稿上に記録された画像を読み取る画像読取装置に関する。
【背景技術】
【０００２】
従来より、原稿上に記録された画像を読み取るための画像読取装置が知られている。
【０００３】
画像読取装置では、プラテンガラスと呼ばれる原稿載置用のガラス板の上に載置された原稿に向けて、露光光源を走査させながら光を照射し、原稿からの反射光を受像センサ上に結像させることで画像信号を得ている。
【０００４】
また、画像読取装置には、所定のトレイ上に原稿を重ねて載置するだけで、重ねられた原稿から一枚ずつ原稿を引き出して所定の搬送路を搬送する自動原稿搬送器が備えられたものがあり、この自動原稿搬送器を用いた場合の原稿の読取りは、プラテンガラス上に載置された原稿の読取りとは異なり、搬送路を搬送される原稿と対面する位置に配置されたコンタクトガラスの下面側からこのコンタクトガラスの上面側を通過する原稿に向けて、静止した状態の露光光源からの露光光をコンタクトガラス越しに照射し、原稿からの反射光を受像センサ上に結像させることで行われている。
【０００５】
ところが、自動原稿搬送器を用いた原稿の読取りにおいては、コンタクトガラスの下面側から上面側を通過する原稿に向けて照射された露光光や原稿からの反射光はコンタクトガラス上の所定部位を通過する。このため、所定のトレイ上に載置された原稿枚数が多い場合には、コンタクトガラスのこの所定部位の温度が過度に上昇し、コンタクトガラスの上面側を通過する原稿に悪影響を及ぼすおそれがある。
【０００６】
そこで、画像読取装置に、コンタクトガラスの周囲の空気を積極的に換気するためのファンを備えることで、コンタクトガラスの所定部位の過度の温度上昇を抑える提案がなされている（特許文献１参照。）。
【特許文献１】特開平１１−６９０９１号公報
【発明の開示】
【発明が解決しようとする課題】
【０００７】
しかしながら、上記提案では、ファンの駆動に伴う騒音や、ファンを備えたことによる埃等の装置内への進入が問題となるおそれがある。
【０００８】
本発明は、上記事情に鑑み、コンタクトガラスの局所的な温度上昇を抑制する工夫が図られた画像読取装置を提供することを目的とする。
【課題を解決するための手段】
【０００９】
上記目的を達成するための本発明の画像読取装置は、
画像が記録された原稿を１枚ずつ、所定の読取位置を経由する搬送路に沿って自動搬送する自動原稿搬送部と、
上記読取位置に配備された、原稿の搬送方向に所定範囲内で往復移動自在なコンタクトガラスと、
上記読取位置を通過する原稿に、上記コンタクトガラス越しに光を照射する光源と、
上記原稿が上記読取位置を通過する際にこの原稿から反射した光像を上記コンタクトガラス越しに受像して画像信号に変換する受像センサと、
上記原稿の搬送中に上記コンタクトガラスを原稿の搬送方向に移動させるガラス移動手段とを備えたことを特徴とする。
【００１０】
本発明の画像読取装置では、原稿一枚を搬送する間に、あるいは、一枚の原稿の搬送と次の原稿の搬送の間にコンタクトガラスが原稿の搬送方向に移動させられることで、露光光や反射光が通過する、コンタクトガラス上の部位が分散することとなる。したがって、本発明の画像読取装置では、コンタクトガラスの局所的な温度上昇を抑制することができる。
【００１１】
ここで、上記ガラス移動手段が、上記コンタクトガラスを、原稿を１枚搬送する間に上記所定範囲のうちの一方の端からもう一方の端まで移動させるものであることが好ましい。
【００１２】
原稿を１枚搬送する間にコンタクトガラスを所定範囲のうちの一方の端からもう一方の端まで移動させることで、コンタクトガラスの局所的な温度上昇をより確実に抑制することができる。
【００１３】
また、上記コンタクトガラスを保持すると共に上記搬送路に沿った原稿の搬送をガイドする搬送ガイドを備え、この搬送ガイドが、上記所定範囲での往復移動が自在なものであり、上記ガラス移動手段が、原稿の搬送方向に上記搬送ガイドを移動させることによってこの搬送ガイドに保持された上記コンタクトガラスを移動させるものであってもよい。
【００１４】
あるいは、上記コンタクトガラスを、原稿の搬送方向に所定範囲内で移動自在に保持すると共に、上記搬送路を搬送されてくる原稿の搬送をガイドする搬送ガイドを備え、上記ガラス移動手段が、上記搬送ガイドを残し、この搬送ガイド上で移動自在なコンタクトガラスを原稿の搬送方向に移動させるものであってもよい。
【００１５】
ここで、上記ガラス移動手段が、上記搬送ガイドにより原稿の搬送方向に所定範囲内で移動自在に保持されたこのコンタクトガラスを、原稿が１枚このコンタクトガラス上を搬送されている間に上記所定範囲のうちの原稿の搬送方向下流側の端から上流側の端に移動させ、１枚の原稿搬送後に下流側の端に戻すものであることが好ましい。
【００１６】
搬送ガイドにより原稿の搬送方向に所定範囲内で移動自在に保持されたコンタクトガラスを、原稿が１枚このコンタクトガラス上を搬送されている間に上記所定範囲のうちの原稿の搬送方向下流側の端から上流側の端に移動させると、コンタクトガラスとこのコンタクトガラスを移動自在に保持する搬送ガイドとの間の隙間への原稿の先端の入り込みを防止してジャムの発生を抑えることができる。
【００１７】
また、上記コンタクトガラスを、原稿の搬送方向に所定範囲内で移動自在に保持する搬送ガイドが、上記コンタクトガラスの上記光源側に、この光源からの光をこのコンタクトガラス越しに原稿に照射する領域を絞るスリットを備え、上記コンタクトガラスが、このスリットの幅よりも大きな往復移動距離を有するものであることが好ましい。
【００１８】
搬送ガイドが、記コンタクトガラスの光源側に、光源からの光をコンタクトガラス越しに原稿に照射する領域を絞るスリットを備え、コンタクトガラスが、スリットの幅よりも大きな往復移動距離を有していると、コンタクトガラス上の露光光照射領域と露光時間を制限することができ、局所的な温度上昇の抑制により一層寄与することができる。
【発明の効果】
【００１９】
本発明の画像読取装置によれば、コンタクトガラスの局所的な温度上昇を抑制することができる。
【発明を実施するための最良の形態】
【００２０】
以下、本発明の実施形態について説明する。
【００２１】
図１は、本発明の画像読取装置の第１実施形態の概略構成図である。
【００２２】
図１に示す、本実施形態の画像読取装置１は、筐体２０、１枚もしくは複数枚の原稿４が載置される載置台２１、この載置台２１に載置された原稿４を一枚ずつ引き出して搬送路に沿って搬送する搬送機構２２、および、搬送路に原稿が存在しているか否かを検知するセンサ２４からなる自動原稿搬送器２と、原稿４の読取りを行う原稿読取部３１、原稿読取部３１の動作を制御する制御部３２、自動原稿搬送器２を用いた原稿読取りの際に使用するコンタクトガラス３４、および、コンタクトガラス３１に隣接して配備された、オペレータによって原稿が一枚ずつ載置されるプラテンガラス３３からなる画像読取器３とで構成されている。尚、自動原稿搬送器２は、画像読取器３の上面に開閉自在に取りつけられており、搬送路を経た原稿は、筐体２０の上面の一部２３に排出されるようになっている。
【００２３】
画像読取器３の原稿読取部３１は、自動原稿搬送器２によって搬送路に沿って搬送されてくる原稿４がコンタクトガラス３４の上面側を通過する際に、原稿に記録された画像を読み取るものであって、筐体３０と、図１における手前側と奥側との間に延在して配備され原稿４に露光光を照射する光源３１１と、原稿４への露光光照射を多角的に行うために設けられた、光源３１１からの露光光を反射してコンタクトガラス３４に向けさせる第１ミラー３１２と、原稿４からの反射光を水平方向に向けさせる第２ミラー３１３と、第２ミラー３１３により水平方向に向けられた反射光を更に反射して、向きを逆向きにするミラーユニット３１４と、ミラーユニット３１４からの反射光を結像させるレンズ３１５と、レンズ３１５により結像された光像を受像し画像信号を出力する受像センサ３１６とで構成されている。
【００２４】
この画像読取装置１では、原稿４をプラテンガラス３３上に１枚ずつ載置しての原稿の読取りは、原稿読取部３１の光源３１１やミラーユニット３１４等を筐体３０内で走査させて行ない、自動原稿搬送器２により自動搬送されてくる原稿の読取りは、原稿読取部３１の光源３１１やミラーユニット３１４等を図１に示す状態のまま静止させた状態で行う。尚、原稿読取部３１の構成要素の走査等は、制御部３２によって制御されている。
【００２５】
また、この画像読取装置１では、自動原稿搬送器２を用いた原稿の読取りにおいて、光源３１１からの露光光に晒されるコンタクトガラス３１１が、この自動原稿搬送器２による原稿の搬送方向について所定範囲内で往復移動自在となっている。
【００２６】
図２は、図１に示すコンタクトガラスの断面図である。
【００２７】
図２には、コンタクトガラス３４を保持すると共に搬送路に沿って矢印に示す向きに搬送されてきた原稿の、筐体２０の上面の一部２３への排出を補助する搬送ガイド３５が示されている。図２（ａ）には、コンタクトガラス３４を保持する搬送ガイド３５が原稿の搬送方向下流側の端に移動した様子が示され、図２（ｂ）には、この搬送ガイド３５が原稿の搬送方向上流側の端に移動した様子が示されている。
【００２８】
この画像読取装置１では、自動原稿読取器２により、１枚の原稿が搬送される毎に搬送ガイド３５が図２（ａ）に示す位置から図２（ｂ）に示す位置に移動し、さらに、次の原稿の搬送開始前にこの搬送ガイド３５は図２（ａ）に示す位置に戻るように制御されている。
【００２９】
この様に搬送ガイド３５を移動させるのは、自動原稿搬送器２を用いた原稿読取りを行う場合に、コンタクトガラス３４の位置が変化しないとすると、自動原稿搬送器２を用いた原稿読取りが連続する場合には光源３１１からの露光光や原稿からの反射光はコンタクトガラス３４の所定部位のみを通過することとなり、その所定部位の温度は他の部位に比べ過度に上昇し、コンタクトガラス上面を通過する原稿に悪影響を与えかねないためである。したがって、本実施形態の画像読取装置１によれば、原稿１枚を搬送する間に露光光や反射光が通過するコンタクトガラスの部位は分散することから、コンタクトガラスの局所的な温度上昇が抑制されることとなる。
【００３０】
図３は、搬送ガイドを原稿の搬送方向に往復移動させるための機構の外観斜視図である。
【００３１】
図３には、自動原稿搬送器２に備えられているソレノイド２５と、アーム２６と、これらを連動させるためのワイヤ２７と、画像読取器３に備えられている、搬送ガイド３５を図２（ａ）に示す状態にするための圧縮ばね３６とが示されており、自動原稿搬送器２が画像読取器３の上面を自動原稿搬送器２で覆うと、アーム２６の、ソレノイド２５と連結されている端部とは反対側の端部が、搬送ガイド３５の上面に設けられた穴３５０に入り込むようになっている。
【００３２】
搬送ガイド３５は、ソレノイド２５がオフされると圧縮ばね３６の付勢によりアーム２６は軸２６１を中心に図３に点線で示すように回動しプランジャ２５１は突出し、搬送ガイド３５は圧縮バネ３６の付勢により、図２（ｂ）に示す状態から図２（ａ）に示す状態へ変化する。また、ソレノイド２５がオンされてプランジャ２５１が引っ込むと、アーム２６は軸２６１を中心に図３に実線で示す状態にまで回動し、搬送ガイド３５は圧縮バネ３６の付勢に抗して図２（ａ）に示す状態から図２（ｂ）に示す状態へ変化する。
【００３３】
図１に示す制御部３２は、センサ２４からの信号を監視することで搬送路に沿って搬送されている原稿の長さを検知しており、この画像読取装置１では、搬送されている原稿の後端がセンサ２４を通過したタイミングで制御部３２からソレノイド２５に対してオン指示が出されるようになっている。これにより、画像読取装置１では、原稿１枚を搬送する間に、コンタクトガラス３４は、予め与えられた移動可能範囲の内の、原稿の搬送方向下流側の端から上流側の端に移動される。このため、光源３１１からの露光光や原稿からの反射光が通過するコンタクトガラス上の部位が分散することから、本実施形態の画像読取装置１によれば、コンタクトガラスの局所的な温度上昇を抑制することができる。
【００３４】
次に、本発明の画像読取装置の第２実施形態について説明する。
【００３５】
本実施形態と第１実施形態との間の相違点は、第１実施形態ではコンタクトガラス３４を保持した搬送ガイド３５が原稿の搬送方向に移動しているのに対し、本実施形態では、搬送ガイドを残したまま、この搬送ガイド上でコンタクトガラスが原稿の搬送方向に移動する点であるので、以下ではこの点に絞って説明する。
【００３６】
図４は、本実施形態のコンタクトガラスおよびその周囲の断面図である。尚、図４に示す部材で、図２に示されている部材と同じ種類の部材には、図２において付されている符号と同じ符号が付されている。
【００３７】
図４には、コンタクトガラス３４が搬送ガイド４５上において距離ａの範囲で移動自在に保持されている様子が示されており、本実施形態の画像読取装置では、コンタクトガラス３４は、原稿が１枚搬送される間に、図４（ａ）に示す位置から図４（ｂ）に示す位置にまで移動するようになっている。
【００３８】
また、図４には、コンタクトガラス３４を移動自在に保持する搬送ガイド４５の光源側に、光源３１１からの露光光をコンタクトガラス越しに原稿に照射する領域を絞る、幅ｂのスリット４５１が備えられている様子が示されており、また、コンタクトガラス３４が、スリットの幅ｂよりも大きな往復移動距離ａを有するものであることから、コンタクトガラス上の露光光照射領域と露光時間を制限することができる。したがって、本実施形態の画像読取装置によれば、局所的な温度上昇の抑制に一層寄与することができる。さらに、コンタクトガラス３４を、原稿が１枚このコンタクトガラス上を搬送されている間に、所定範囲のうちの原稿の搬送方向下流側の端から上流側の端に移動させることで、原稿の先端の、コンタクトガラス３４とこのコンタクトガラス３４を移動自在に保持する搬送ガイド４５との隙間への入り込みを防止し、ジャムの発生が抑えられている。
【００３９】
図５は、本実施形態の、コンタクトガラスを往復移動させるための機構の外観斜視図である。
【００４０】
図５（ａ）には、自動原稿搬送器２に備えられているアーム２６の、ソレノイド２５と連結されている端部とは反対側の端部が、搬送ガイド４５の上面に設けられた穴４５０に入り込んでいる様子が示されている。
【００４１】
図５（ｂ）には、コンタクトガラス３４の端部にホルダ３４１が取りつけられている様子が示されており、このホルダ３４１にも、搬送ガイド４５の上面に設けられた穴４５０を経由したアーム２６の端部を入り込ませるための穴３４０が設けられている様子が示されており、本実施形態の画像読取装置では、自動原稿搬送器２が画像読取器３の上面を覆うと、アーム２６の端部が、搬送ガイド４５の穴４５０を経てホルダ３４１の穴３４０に入り込むこととなる。
【００４２】
本実施形態の画像読取装置では、ソレノイド２５がオフされると、圧縮ばね３６の付勢によってアーム２６は図５（ａ）に示す状態となり、搬送ガイド４５に保持されたコンタクトガラス３４は図４（ａ）に示す位置に移動するが、ソレノイド２５がオンされると、プランジャ２５１が引っ込むため、アーム２６の端部は軸２６１を中心に回動して搬送ガイド４５に移動自在に保持されているコンタクトガラス３４は、図４（ｂ）に示す位置に移動する。尚、図３および図５では、図示は省略したが、搬送ガイド３５、４５を移動させる機構は搬送ガイド３５、４５の両端部に備えられている。
【００４３】
以上に説明したように、本実施形態の画像読取装置でも、原稿を１枚搬送する間に、コンタクトガラス３４は、予め与えられた移動可能範囲の内の、原稿の搬送方向下流側の端から上流側の端に移動されることで、光源３１１からの露光光や原稿からの反射光が通過する、コンタクトガラス上の部位は分散することから、本実施形態の画像読取装置によっても、コンタクトガラスの局所的な温度上昇を抑制することができる。
【００４４】
尚、以上に説明した実施形態では、コンタクトガラス３４を、原稿１枚搬送する毎に、移動範囲内の端から端まで移動する例を挙げて説明したが、本発明は原稿搬送中にコンタクトガラス３４が移動するようになっていればよく、これが原稿を１枚搬送する毎ではなく、何枚かを搬送する過程で端から端まで移動するものであってもよい。
【図面の簡単な説明】
【００４５】
【図１】本発明の画像読取装置の第１実施形態の概略構成図である。
【図２】図１に示すコンタクトガラスの断面図である。
【図３】搬送ガイドを原稿の搬送方向に往復移動させるための機構の外観斜視図である。
【図４】本実施形態のコンタクトガラスおよびその周囲の断面図である。
【図５】本実施形態の、コンタクトガラスを往復移動させるための機構の外観斜視図である。
【符号の説明】
【００４６】
１  画像読取装置
２  自動原稿搬送器
２２  搬送機構
２４  センサ
２５  ソレノイド
２５１  プランジャ
２６  アーム
２７  ワイヤ
３  画像読取器
３１  原稿読取部
３１１  光源
３１２  第１ミラー
３１３  第２ミラー
３１４  ミラーユニット
３１５  レンズ
３１６  受像センサ
３２  制御部
３３  プラテンガラス
３４  コンタクトガラス
３５、４５  搬送ガイド
３６  圧縮ばね
【図１】
2007329648.tif 000003
【図２】
2007329648.tif 000004
【図３】
2007329648.tif 000005
【図４】
2007329648.tif 000006
【図５】
2007329648.tif 000007